(57)【要約】【課題】回転ブラシによりフィルタの清掃を行うフィルタ清掃装置に対し、低コストで効率のよい帯電防止対策を施した室内機ユニットを提供すること。【解決手段】天井に設置される筐体と、該筐体内に室内空気を流入させる吸入部と、該吸入部から流入する塵埃を捕集するエアフィルタ３１と、該エアフィルタ３１に付着した塵埃を回転ブラシ８５により取り除く清掃装置３３と、該清掃装置３３が取り除いた塵埃を捕集するダストボックス８７とを具備し、回転ブラシ８５のブラシ部９１に少なくとも２５％の除電ブラシが混入されている。【選択図】図７
2008175485.tif 000002
【特許請求の範囲】
【請求項１】
天井に設置される筐体と、該筐体内に室内空気を流入させる吸入部と、該吸入部から流入する塵埃を捕集するエアフィルタと、該エアフィルタに付着した塵埃を回転ブラシにより取り除く塵埃除去部と、該塵埃除去部が取り除いた塵埃を捕集する捕集部とを具備し、
前記回転ブラシに少なくとも２５％の除電ブラシが混入されていることを特徴とする特徴とする室内機ユニット。
【請求項２】
天井に設置される筐体と、該筐体内に室内空気を流入させる吸入部と、該吸入部から流入する塵埃を捕集するエアフィルタと、該エアフィルタに付着した塵埃を回転ブラシにより取り除く塵埃除去部と、該塵埃除去部が取り除いた塵埃を捕集する捕集部とを具備し、
前記回転ブラシが、複数束のブラシ単位素材に少なくとも一束の除電ブラシを混入して束ねられていることを特徴とする室内機ユニット。
【請求項３】
請求項１または２に記載の室内機ユニットと、
該室内機ユニットとともに冷媒が循環する冷媒回路を構成する室外機ユニットと、
を有することを特徴とする空気調和装置。
【発明の詳細な説明】
【技術分野】
【０００１】
本発明は、室内機ユニット及び空気調和装置に関する。
【背景技術】
【０００２】
従来、空気調和装置の室内機ユニットは、室内空気を内部に吸入し、その温度を調整した後、再び室内へ温度調整された室内空気を吹き出している。この際に、室内空気中に浮遊する塵埃（綿埃等のゴミ類）を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。このため、高所に設置されたエアフィルタの清掃に関するさまざまな技術が提案されている。
【０００５】
従来の空気調和装置には、室内機ユニットのフィルタ自動清掃機能を備えたものが提案されている。
従来のフィルタ清掃機能には、平板状ブラシをスライドさせてフィルタの清掃を行うものである。そして、この従来技術においては、静電気の発生を極力抑えることを目的として、ブラシに帯電防止剤を添加またはブラシ表面に帯電防止剤を塗着させることが提案されている。（たとえば、特許文献１参照）
【０００６】
また、フィルタを本体の内外に往復移動させるスライド手段と、フィルタの移動経路に沿ってフィルタと接触するように配置され、フィルタの表面を清掃するナイロン製のブラシを内部に備えたフィルタ清掃装置を備えた空気調和機において、フィルタを形成するポリプロピレンに所定比率の帯電防止剤を添加することにより、フィルタに帯電する静電気を低減することが開示されている。このような静電気の低減により、フィルタ清掃装置内でいったん除去した塵芥は、フィルタに再度吸着されにくくなる。（たとえば、特許文献２参照）
【特許文献１】特開２００５−２４１３５号公報
【特許文献２】特開２００４−２７０９８２号公報
【発明の開示】
【発明が解決しようとする課題】
【０００７】
ところで、回転ブラシを用いたフィルタ清掃装置でエアフィルタを清掃する場合、回転ブラシが接触する部材との摩擦により静電気を発生する。このため、たとえばフィルタやダストボックスの縁等には静電気により塵芥が付着するので、この塵芥が取り残しとなって清掃の妨げになることが指摘されている。このため、回転ブラシを用いたフィルタ清掃装置に対し、低コストで効率のよい帯電防止対策を施すことが必要となる。
本発明は、上記の課題を解決するためになされたものであり、回転ブラシによりフィルタの清掃を行うフィルタ清掃装置に対し、低コストで効率のよい帯電防止対策を施した室内機ユニット及び空気調和装置の提供を目的としている。
【課題を解決するための手段】
【０００８】
本発明は、上記の課題を解決するため、下記の手段を採用した。
本発明の室内機ユニットは、天井に設置される筐体と、該筐体内に室内空気を流入させる吸入部と、該吸入部から流入する塵埃を捕集するエアフィルタと、該エアフィルタに付着した塵埃を回転ブラシにより取り除く塵埃除去部と、該塵埃除去部が取り除いた塵埃を捕集する捕集部とを具備し、前記回転ブラシに少なくとも２５％の除電ブラシが混入されていることを特徴とするものである。
【０００９】
このような本発明によれば、回転ブラシに少なくとも２５％の除電ブラシが混入されているので、通常のブラシより高価な除電ブラシの使用量が最小限に抑えられた回転ブラシにより、塵芥に帯電することを抑制して静電気の発生を効率よく防止した清掃を行うことができる。
【００１０】
本発明の室内機ユニットは、天井に設置される筐体と、該筐体内に室内空気を流入させる吸入部と、該吸入部から流入する塵埃を捕集するエアフィルタと、該エアフィルタに付着した塵埃を回転ブラシにより取り除く塵埃除去部と、該塵埃除去部が取り除いた塵埃を捕集する捕集部とを具備し、前記回転ブラシが、複数束のブラシ単位素材に少なくとも一束の除電ブラシを混入して束ねられていることを特徴とするものである。
【００１１】
このような本発明によれば、複数束のブラシ単位素材よりなる回転ブラシが、複数束のブラシ単位素材の少なくとも一束に除電ブラシを混入して束ねられているので、通常のブラシより高価な除電ブラシの使用量が最小限に抑えられた回転ブラシにより、塵芥に帯電することを抑制して静電気の発生を効率よく防止した清掃を行うことができる。
【００１２】
本発明の空気調和装置は、請求項１または２に記載の室内機ユニットと、該室内機ユニットとともに冷媒が循環する冷媒回路を構成する室外機ユニットと、を有することを特徴とするものである。
【００１３】
このような本発明によれば、上記本発明の室内機ユニットを用いることにより、通常のブラシより高価な除電ブラシの使用量が最小限に抑えられた回転ブラシにより、塵芥に帯電することを抑制して静電気の発生を効率よく防止した清掃を行うことができる。
【発明の効果】
【００１４】
本発明の室内機ユニット及び空気調和装置によれば、回転ブラシを用いてエアフィルタに付着した塵埃を取り除く際、回転ブラシの一部に除電ブラシを採用することにより、比較的安価なコストで塵芥に帯電することを抑制して静電気の発生を効率よく防止した清掃が可能になる。このため、回転ブラシを用いた清掃を行っても、静電気によりフィルタやダストボックス等に塵芥が付着したまま残る取り残しを防止できるようになり、エアフィルタの清掃を低コストで効率よく実施できるという顕著な効果が得られる。
【発明を実施するための最良の形態】
【００１５】
以下、本発明に係る室内機ユニット及び空気調和装置の一実施形態を図面に基づいて説明する。
図１は、本実施形態に係る空気調和装置の全体構成を説明する図である。
図示の空気調和装置１は、天井に設置される室内機ユニット３と、室外に設置される室外機ユニット５と、室内機ユニット３と室外機ユニット５との間で冷媒を循環させる冷媒流路７と、から概略構成されている。
室外機ユニット５は、図１に示すように、冷媒を圧縮する圧縮機９と、冷媒と室外空気との間で熱交換を行なう室外熱交換器１１と、室外ファン１３と、から概略構成されている。
【００１６】
図２は、図１に示した室内機ユニット３の概略構成を説明する断面図である。
室内機ユニット３は、図１及び図２に示すように、下部に天面パネル１４を有し、天井に埋め込み設置される筐体１５と、天面パネル１４の空気吸入部１６に設けられ、室内空気を吸込む吸込口１７が形成された吸込みグリル（パネル）１９と、室内空気を吸込み送り出す室内ファン２１と、室内空気と冷媒との間で熱交換を行なう室内熱交換器２３と、から概略構成されている。この室内機ユニット３には、塵芥（綿埃などのゴミ類）を捕集するエアフィルタ３１用として清掃装置３３が設けられている。
【００１７】
筐体１５内部の上面における略中央には、室内ファン２１を駆動するファンモータ２５が配置され、室内ファン２１及びファンモータ２５の周囲には、室内熱交換器２３が配置されている。室内ファン２１の下方（図２中の下方）には、室内ファン２１に流入する室内空気の流れを整えるベルマウス２７が配置され、ベルマウス２７の下方には、吸込みグリル１９が配置されている。天面パネル１４に設けられた吸込みグリル１９の周囲には、室内ファン２１から室内熱交換器２３を通過した室内空気が、筐体１５から流出する吹出口２９が形成されている。なお、図中の符号１４ａは、天面パネル１４と筐体１５との間に介在されたスペーサである。
【００１８】
図３は、図２の室内機ユニット１における吸込みグリル１９、天面パネル１４及びスペーサ１４ａの構成を説明する部分斜視図である。
吸込みグリル１９には、図３に示すように、吸入される空気に含まれる塵埃等を除去するエアフィルタ３１と、エアフィルタ３１を清掃する清掃装置３３とが備えられている。エアフィルタ３１は、吸込みグリル１９の略中央領域に配置されている。吸込みグリル１９の縁領域である枠部の四隅には、吸込みグリル１９を昇降させるワイヤ６３が配置されている。天面パネル１４上には所定の厚さ寸法を有するスペーサ１４ａが配置され、該スペーサ１４ａによって形成される空間には、清掃装置３３を駆動するための後述する回転駆動力を発生する駆動モータ（駆動部）３５と、回転駆動力を往復駆動力に変換する往復動部３７と、往復駆動力が伝達される上部伝達部（第１伝達部）３９とが、たとえば図４に示すように、天面パネル１４上に設置されたフレーム（筐体）４１に保持されて配置されている。
【００１９】
図４は、図３のスペーサ１４ａ及び天面パネル１４上に設置されたフレーム（筐体）４１の構成を説明する分解斜視図である。
スペーサ１４ａは、図４に示すように、矩形状の枠体から構成され、枠体内の空間には、駆動モータ３５や往復動部３７を保持するフレーム（筐体）４１が配置されている。なお、スペーサ１４ａの枠体の中央に形成された貫通孔は、室内機ユニット３に流入する空気の流路であり、周囲に形成された４つの貫通孔は、室内機ユニッ３から流出する空気の流路である。
【００２０】
天面パネル１４上に設置されるフレーム４１には、駆動モータ３５や往復動部３７などを支持する支持部４３が設けられている。支持部４３は、フレーム４１における対向する一対の辺であって、略中央部に設けられている。支持部４３は、フレーム４１の内周面から内側に向かって突出する凸状の部材であり、駆動モータ３５と、往復動部３７とを支持するものである。駆動モータ３５は、フレーム４１と支持部４３との間に配置され、往復動部３７は、一対の支持部４３の間に配置されている。
なお、上述のように、フレーム４１に支持部４３を設けて、支持部４３により駆動モータ３５や往復動部３７などを支持してもよいし、支持部４３を設けることなく、フレーム４１が直接駆動モータ３５や往復動部３７などを支持するように構成してもよく、特に限定するものではない。
【００２１】
往復動部３７は、図４に示すように、駆動モータ３５により回転駆動される駆動用シャフト４５と、駆動用シャフト４５により回転駆動されるウォームギア４７と、ウォームギア４７と係合される駆動用ラックギア４９と、を備えている。
駆動用シャフト４５は、断面が六角形などの多角形に形成された柱状部材であり、一対の支持部４３の間に回転可能に支持されている。
【００２２】
ウォームギア４７は、駆動用シャフト４５により回転駆動されるとともに、駆動用シャフト４５の長手方向に移動可能に配置されている。つまり、ウォームギア４７には、駆動用シャフト４５の断面形状と同一形状の貫通孔が形成され、その貫通孔に駆動用シャフト４５が挿通されている。そのため、駆動用シャフト４５の回転駆動力がウォームギア４７に伝達されるとともに、駆動用シャフト４５の長手方向にウォームギア４７が移動可能となる。ウォームギア４７には、ギアが形成された領域の両端に円筒部５１が形成されている。円筒部５１は、その外周面が後述する上部伝達部３９と接触し、ウォームギア４７が駆動用ラックギア４９から離れることを防止している。
【００２３】
駆動用ラックギア４９は、回転駆動されるウォームギア４７と係合することにより、ウォームギア４７が往復移動する駆動力を発生させるものである。駆動用ラックギア４９は、一対の支持部の間に固定配置されている。駆動用ラックギア４９は、断面が略Ｈ状に形成され、その中央にウォームギア４７と係合されるラックギアが形成されている。なお、駆動用ラックギア４９の断面形状は、上述のように略Ｈ状に形成されていてもよいし、その他の形状であってもよく、特に限定するものではない。
【００２４】
図５は、図４の上部伝達部の構成を説明する部分断面図である。
上部伝達部３９は、図４に示すように、ウォームギア４７から往復駆動力が伝達される駆動力伝達部５３と、駆動力伝達部５３との間で駆動用ラックギア４９を挟み込む規制部（外れ防止部）５５と（図５参照）、駆動力伝達部５３と規制部５５とを結合させるネジ（外れ防止部）５７と、を備えている。
【００２５】
図６は、図４の上部伝達部３９とウォームギア４７との組み合わせを説明する部分斜視図である。
駆動力伝達部５３は、ウォームギア４７から往復駆動力が伝達される天板５９と、後述する下部伝達部７５に往復駆動力を伝達する側板６１とを備えている。
天板５９には、矩形状に形成された貫通孔６３と、貫通孔６３に隣接して形成された略半円状部である接触部（外れ防止部）６５と、ネジ５７が取り付けられる一対のネジ孔６７が形成されている。貫通孔６３には、図６に示すように、上部伝達部３９と往復動部３７とが組み合わされた際に、ウォームギア４７のギア部が配置される。接触部６５は、図５に示すように、ウォームギア４７の円筒部５１と接触するように配置されている。
側板６１の下方端部には、図４に示すように、後述する下部伝達部７５と係合される上部係合部６９が形成されている。上部係合部６９には、下部伝達部７５を挟み、往復駆動力を下部伝達部７５に伝達する上部凹部７１と、側板６１から外側に延び、上部伝達部３９及び下部伝達部７５の間の相対姿勢を規定する押さえ７３と、が設けられている。
【００２６】
規制部５５は、図５に示すように、凹状に折り曲げられた部材であり、その内部に駆動用ラックギア４９が配置されるように、駆動力伝達部５３に取り付けられる。規制部５５の駆動力伝達部５３への取付けには、ネジ５７が用いられる。
【００２７】
図７は、図３の吸込みグリル１９上に設けられるエアフィルタ３１及び清掃装置３３の構成を説明する部分分解斜視図である。
吸込みグリル１９上には、図７に示すように、吸入される空気に含まれる塵埃等を除去するエアフィルタ３１と、エアフィルタ３１を清掃する清掃装置３３と、清掃装置３３に往復駆動力を伝達する下部伝達部（第２伝達部）７５と、が矩形状の枠体をなす台座１９ａを介して設置されている。
【００２８】
図８は、図７の台座１９ａの構成を説明する平面図である。図９は、図８の回転用ラックギア７７の形状を説明するＡ−Ａ断面視図である。図１０は、図８の台座１９ａ及び清掃装置３３の組み合わせを説明するＢ−Ｂ断面視図である。
吸込みグリル１９上に設置される台座１９ａは、エアフィルタ３１及び清掃装置３３を支持する枠体である。台座１９ａには、図８に示すように、略中央にエアフィルタ３１が配置される矩形状の貫通孔が形成され、後述する回転ブラシ８５に回転駆動力を発生させる回転用ラックギア７７と、清掃装置３３を支持するガイド部７９と、が形成されている。ガイド部７９及び回転用ラックギア７７は、上記貫通孔の対向する辺に沿って延びるように形成されている。
【００２９】
回転用ラックギア７７は、図９に示すように、台座１９ａの面に沿って延びるラックギアであり、図１０に示すように、後述する回転ブラシ８５のピニオンギア９３と係合されるものである。
ガイド部７９は、図１０に示すように、後述するダストボックス８７のコロ１０３の案内溝１０７と係合する凸部である案内部８１と、コロ１０３を支持する支持面８３とを備えている。
【００３０】
エアフィルタ３１は、図７に示すように、台座１９ａの略中央部に配置されている。また、エアフィルタ３１の上面側（図７の上面側）には、下部伝達部７５が配置され、さらに、下面側（図７の下面側）には、清掃装置３３が配置されている。
【００３１】
清掃装置３３は、図７に示すように、エアフィルタ３１に捕集された塵埃などを除去する回転ブラシ（塵埃除去部）８５と、回転ブラシ８５により除去された塵埃などを一時的に貯留するダストボックス（捕集部）８７と、を備えている。
回転ブラシ８５は、図１０に示すように、回転駆動されるとともにエアフィルタ３１の面に沿って駆動される回転軸８９と、エアフィルタ３１に捕集された塵埃などを掃き取るブラシ部９１と、回転軸８９を回転駆動させるピニオンギア９３と、ダストボックス８７と接触する摺動部９５とを備えている。
【００３２】
回転軸８９には、図７に示すように、その両端にピニオンギア９３が配置され、ピニオンギア９３の内側に隣接して摺動部９５が配置されている。両摺動部９５の間の回転軸８９には、ブラシ部９１が半径方向外側に向かって延びるように設けられている。本実施形態のブラシ部９１は、たとえば図１３に示すように、４つのブラシ部９１の列が回転軸８９の中心軸線に沿って延びるとともに、回転軸８９の円周周りに等間隔に配置されるように形成されている。また、このブラシ部９１の列の構成は、たとえば１８０度の捻りを加えることにより、回転軸８９の周りに螺旋状に延びるように形成されていし、あるいは、中心軸線に沿って平行な直線状に延びるように形成されていてもよく、特に限定するものではない。また、ブラシ部９１の列の数についても、上述した４列であってもよいし、あるいは、４列より多くても少なくてもよく、特に限定するものではない。
【００３３】
そして、上述した回転ブラシ８５は、通常のブラシに少なくとも２５％の除電ブラシが混入されたものを採用する。すなわち、ブラシ部９１を形成するパイル糸等の糸種に占める除電ブラシ用糸種の割合は、少なくとも２５％以上とされる。
具体的に説明すると、通常のブラシ素材であるナイロン等の糸種を７５％未満とし、除電ブラシ素材となる導電性繊維素材の糸種を２５％以上としたパイル糸を用いてブラシ部９５を形成する。上述した導電性繊維素材としては、たとえばサンダーロン（登録商標）と呼ばれるものが知られており、このサンダーロンは、アクリル繊維・ナイロン繊維に硫化銅を化学結合させたものである。
【００３４】
また、ブラシ部９５は、製造上の都合により複数束のブラシ単位素材を束ねたものが使用される。従って、たとえば４束（４条）のブラシ単位素材を束ねたブラシ部９５の場合には、少なくとも１束（１条）が導電性繊維素材の糸種により形成された除電ブラシとされ、他の３束（３条）がナイロン等の糸種により形成された通状ブラシであればよい。
このように、回転ブラシ８５のブラシ部９５は、ブラシ素材全体の２５％以上に除電ブラシとなる導電性繊維素材の糸種が含まれているので、あるいは、複数束のブラシ単位素材のうち少なくとも一束の除電ブラシを混入して束ねられているので、通常のブラシより高価な除電ブラシの使用量を最小限に抑え、塵芥に帯電することを抑制して静電気の発生を効率よく防止した清掃を行うことができる。
【００３５】
図１２は、本発明者等が実施した実験結果のグラフであり、除電ブラシ混入割合（％）と清掃性能との関係が示されている。すなわち、静電気によりフィルタ３１やダストボックス８７の縁等に塵芥が付着して残る程度について、換言すれば、回転ブラシ８５の清掃作業により発生する静電気の影響で取り残される塵芥量について、除電ブラシ混入割合を横軸にして示したものである。
この実験結果によれば、除電ブラシの混入割合を増すことにより、混入割合が２５％に到達するまで清掃性能は向上していることが分かる。しかし、高コストである除電ブラシの混入割合を２５％以上にしても清掃性能に実質的な変化はなく、従って、除電ブラシの混入割合を２５％以上に増やしても回転ブラシ８５のコスト上昇を招くばかりで実用上のメリットはない。
【００３６】
そこで、上述したように、本発明では、回転ブラシ８５に少なくとも２５％の除電ブラシを混入することとし、通常のブラシより高価な除電ブラシの使用量を最小限に抑えている。この結果、清掃作業により塵芥に帯電することが抑制され、静電気の発生を効率よく防止したフィルタ３１の清掃が可能になる。
また、複数束の少なくとも一束を除電ブラシとすることにより、実質的に２５％以上または２５％に近い除電ブラシが混入される。このため、通常のブラシより高価な除電ブラシの使用量を最小限に抑えることは製造上容易になる。この結果、清掃作業により塵芥に帯電することが抑制され、静電気の発生を効率よく防止したフィルタ３１の清掃が可能になる。
【００３７】
上述したピニオンギア９３は回転用ラックギア７７と係合され、回転ブラシ８５がエアフィルタ３１の面に沿って移動されることにより、回転軸８９を回転させる回転駆動力を発生するものである。
摺動部９５は、ダストボックス８７と接触することにより、ダストボックス８７に伝達された往復駆動力を回転ブラシ８５に伝達するものである。摺動部９５には、ダストボックス８７がはめ込まれる凹部が形成されている。その凹部とダストボックス８７とが嵌め合わされることにより、回転ブラシ８５とダストボックス８７との相対位置関係が規定されている。摺動部９５を構成する部材としては、摺動性を考慮してダストボックス８７を構成する部材とは異なる部材であることが好ましい。たとえば、ダストボックス８７がＡＢＳ樹脂（アクリロニトリル・ブタジエン・スチレン樹脂）で形成されている場合には、摺動部９５はジュラコン樹脂（ポリアセタール）で形成されていることが好ましい。
【００３８】
図１１は、図７に示す清掃装置の回転ブラシ及び捕集部の構成を説明する断面図である。
ダストボックス８７は、図７に示すように、下部伝達部７５から往復駆動力が伝達される本体９７と、塵埃などを一時的に貯留する貯留部９９と、ダストボックス８７内に捕集した塵芥を圧縮して収納する塵芥圧縮機構部２００と、を備えている。本体９７と貯留部９９とは、その間に回転ブラシ８５を回転可能に保持するように構成されている。
本体９７は、図１０に示すように、下部伝達部７５と係合されるブラケット１０１と、本体９７を往復移動可能に支持するコロ１０３と、図１１に示すように、ブラシ部９１から塵埃などをすき取るすき歯１０５と、を備えている。
【００３９】
本体９７は、図７に示すように、中央に貫通孔が形成された枠体状に形成されているとともに、図１０に示すように、長手方向の両端部に回転ブラシ８５のピニオンギア９３が配置される凹部が形成されている。
ブラケット１０１は、上記凹部が形成された両端部に、長手方向へ延びるように配置されている。ブラケット１０１の先端部は、エアフィルタ３１の縁部よりも外側に延びている。ブラケット１０１の先端部は、エアフィルタ３１の縁部よりも外側の領域で下部伝達部７５と係合されている。
コロ１０１は、上記凹部が形成された両端部の外面に、回転可能に配置されている。コロ１０１は円柱状に形成され、その円柱面には、ガイド部７９の案内部８１と嵌め合わされる案内溝１０７が形成されている。
【００４０】
すき歯１０５は、図１１に示すように、本体９７における上記貫通孔の内面に、内側に向かって延びるように配置されているとともに、本体９７の長手方向（図１１における紙面に対して垂直方向）に等間隔に隙間をあけて並んで配置されている。回転ブラシ８５のブラシ部９１はすき歯１０５の隙間を通り、ブラシ部９１に付着した塵埃などがすき取られる。図示の例では、すき歯１０５のエアフィルタ３１に対向する縁部（図１１における上側の縁部）が、回転ブラシ８５に向かってエアフィルタ３１から離れる方向に傾斜している。塵埃などは、すき歯１０５の上記縁部の傾斜により中央部に寄せられ、貯留部９９に送り込まれる。このすき歯１０５については、上述した静電気の発生を防止または抑制するため、必要に応じて表面に適当な帯電防止剤（たとえば、アミン系活性剤等）を塗布したり、あるいは、帯電防止剤を練り込んだ素材で成形すればよい。
なお、すき歯１０５は、図１１に示したように、平面視したときの形状が略三角状の板から形成されていてもよいし、あるいは、抵抗の低減を考慮して、平面視したときの形状が略棒状の板から形成されていてもよく、特に限定するものではない。
【００４１】
貯留部９９は、図７に示すように、回転ブラシ８５を下方から覆う形状に形成され、図１１に示すように、本体９７と係合される。貯留部９９と本体９７と回転ブラシ８５とから形成される空間には、回転ブラシ８５がエアフィルタ３１から除去した塵埃などが一時的に貯留される。すなわち、この貯留部９９は、捕集部となるダストボックス８７において、捕集した塵芥を溜め込むための容器として機能する。
【００４２】
下部伝達部７５は、図７に示すように、略棒状に形成された部材であって、その長手方向における両端部に清掃装置３３のブラケット１０１を把持する把持部１０９が設けられている。
下部伝達部７５の略中央部には、上部伝達部３９の上部係合部６９と係合される下部係合部１１１が形成されている。下部係合部１１１は、下部伝達部７５における他の部分と比較して、棒状の部材の幅が狭く形成され、この部分が上部係合部６９の上部凹部７１と係合される。把持部１０９は、図１０に示すように、その先端に清掃装置３３と係合されブラケット１０１を把持する下部凹部１３が形成されている。
なお、清掃装置３３には、貯留部９９などに小径の貫通孔などが形成され、外部から空気が流入するように形成されている。
【００４３】
次に、上記の構成からなる空気調和装置１における作用について説明する。
まず、空気調和装置１における冷房運転時の作用について説明する。
冷媒は、図１に示すように、圧縮機９により圧縮され高温高圧の状態で室外熱交換器１１に送り出される。室外熱交換器１１に流入した冷媒は、室外空気に対して熱を放出し、凝縮・液化する。液化した冷媒は、膨張弁を通過する際に減圧され室内熱交換器２３に流入する。室内熱交換器２３に流入した冷媒は、室内空気から熱を奪い、蒸発・気化する。気化した冷媒は再び圧縮機９に流入し、上述のサイクルを繰り返す。
【００４４】
次に空気調和装置１における暖房運転時の作用について説明する。
冷媒は、圧縮機９により圧縮され室内熱交換器２３に送り出される。室内熱交換器２３に流入した冷媒は、室内空気に対して熱を放出し、凝縮・液化する。液化した冷媒は、膨張弁を通過する際に減圧され室外熱交換器１１に流入する。室外熱交換器１１に流入した冷媒は、室外熱交換器１１から熱を奪い、蒸発・気化する。気化した冷媒は再び圧縮機９に流入し、上述のサイクルを繰り返す。
【００４５】
次に、室内機ユニット３内における室内空気の流れについて説明する。
室内空気は、図２に示すように、ファンモータ２５により室内ファン２１が回転することにより、吸込口１７から筐体１５内に流入する。筐体１５に流入した室内空気は、エアフィルタ３１を通過し、室内空気に含まれる塵芥がエアフィルタ３１に捕集される。エアフィルタ３１を通過した室内空気は、ベルマウス２７を通過して室内ファン２１に吸込まれる。室内ファン２１に吸込まれた室内空気は、室内ファン２１の半径方向外側へ送り出され、室内熱交換器２３を通過する。
【００４６】
冷房運転時には、室内空気は室内熱交換器２３を通過する際に冷媒に熱を奪われ冷却される。一方、暖房運転時には、室内空気は室内熱交換器２３を通過する際に冷媒から熱を受取り加熱される。
室内熱交換器２３を通過した室内空気は、吹出口２９から室内へ流出する。
【００４７】
次に、エアフィルタ３１の清掃及び塵芥圧縮の作用について説明する。
上述のように、室内機ユニット３の運転によりエアフィルタ３１に付着した塵芥は、清掃装置３３をエアフィルタ３１の面に沿って往復動させることにより取り除かれる。
具体的には、駆動モータ３５の回転駆動力が、図４に示すように、駆動用シャフト４５に伝達され、ウォームギア４７が回転駆動される。駆動用ラックギア４９と係合されたウォームギア４７は、回転駆動されることにより駆動用シャフトに沿って往復駆動される。ウォームギア４７の駆動方向は、駆動モータ３５の回転方向により制御される。ウォームギア４７の往復動は上部伝達部３９に伝達され、上部伝達部３９は、ウォームギア４７とともに往復動される。
ウォームギア４７の円筒部５１は、上部伝達部３９の接触部６５と接触しており、ウォームギア４７が駆動用ラックギア４９から所定間隔以上に離れることがない。上部伝達部３９と規制部５５との間には、駆動用ラックギア４９が配置されているため、上部伝達部３９が駆動用ラックギア４９から所定間隔以上に離れることがない。
【００４８】
上部伝達部３９に伝達された往復動は、図６に示すように、上部伝達部３９から下部伝達部へ伝達される。上部伝達部３９の押さえ板７３が下部伝達部７５の上面と接触しているため、上部伝達部３９と下部伝達部７５との相対位置関係は、往復動が伝達されている間においても変化しない。
【００４９】
下部伝達部７５に伝達された往復動は、図１０に示すように、把持部１０９からエアフィルタ３１の下面側に配置された清掃装置３３のブラケット１０１へ伝達される。ブラケット１０１に伝達された往復動はダストボックス８７から回転ブラシ８５へ伝達される。
回転ブラシ８５は、エアフィルタ３１の下面側を往復動するとともに、ピニオンギア９３と回転用ラックギア７７との係合により回転駆動される。回転ブラシ８５の往復動及び回転により、回転ブラシ８５のブラシ部９１は、エアフィルタ３１における空気吸入側の面の全面を掃き、エアフィルタ３１に捕集された塵埃などを取り除く。このとき、ブラシ部９１に適当な割合で除電ブラシが混入されているので、塵芥への帯電が抑えられる。従って、エアフィルタ３１やダストボックス８７の縁に、静電気により塵芥が付着して残ることを防止できる。
なお、回転ブラシ８５の往復動の速度と、ブラシ部９１の先端部の回転速度と、の間には所定の速度差が設けられ、この速度差によりブラシ部９１がエアフィルタ３１の全面を掃くことができる。この速度差を設ける方法としては、たとえば、ピニオンギア９３の直径とブラシ部９１の直径とを所定の比率に設定する方法を挙げることができる。
【００５０】
ブラシ部９１により取り除かれた塵埃などは、一部は重力により下方に落下し、残りはブラシ部９１に付着する。落下した塵埃などのうち一部は、図１１に示すように、すき歯１０５の隙間から貯留部９９内に落下し、残りは、すき歯１０５と衝突し、すき歯１０５の縁部の傾斜に沿って中央側へ落下し、貯留部９９内に落下する。
ブラシ部９１に付着した塵埃などは、ブラシ部９１がすき歯１０５の隙間を通るときにブラシ部９１からすき取られる。すき歯１０５にすき取られた塵埃などは、すき歯１０５の隙間から貯留部９９内に落下する。
貯留部９９内に貯留された塵埃は、上方にすき歯１０５及び回転ブラシ８５が塞ぐように配置されているため、清掃装置３３から外部にこぼれることがない。
【００５１】
なお、本発明の技術範囲は上記実施形態に限定されるものではなく、本発明の趣旨を逸脱しない範囲において種々の変更を加えることが可能である。
たとえば、上記の実施の形態においては、室内機ユニットと室外機ユニットとが一対一に対応する空気調和装置に適用して説明したが、その他にも、複数台の室内機ユニットに対して一台の室外機ユニットが対応する空気調和装置や、複数台の室内機ユニットに対して複数台の室外機ユニットが対応する空気調和装置に適用してもよく、特に限定するものでない。
【図面の簡単な説明】
【００５２】
【図１】本発明に係る室内機ユニット及び空気調和装置の一実施形態として全体構成例を示す図である。
【図２】図１の室内機ユニットについて、その概略構成例を示す断面図である。
【図３】図２の室内機ユニットにおける吸込みグリル、天面パネル及びスペーサの構成例を示す部分斜視図である。
【図４】図３のスペーサの構成例を示す分解斜視図である。
【図５】図４の上部伝達部の構成例を示す部分断面図である。
【図６】図４の上部伝達部とウォームギアとの組合せを示す部分斜視図である。
【図７】図２の吸込グリル、エアフィルタ及び清掃装置の構成例を示す部分斜視図である。
【図８】図７の台座の構成例を示す平面図である。
【図９】図８の回転用ラックギアの形状例を示すＡ−Ａ断面図である。
【図１０】図８の台座及び清掃装置の組合せを示すＢ−Ｂ断面図である。
【図１１】図７の清掃装置について、回転ブラシ及び捕集部の構成例を示す断面図である。
【図１２】除電ブラシ混入割合（％）と清掃性能との関係に関する実験結果を示すグラフである。
【図１３】図７の回転ブラシの構成例を示す図であり、（ａ）は回転ブラシの正面図、（ｂ）は（ａ）のＣ−Ｃ断面図である。
【符号の説明】
【００５３】
１    空気調和装置
３    室内機ユニット
５    室外機ユニット
１５    筐体
１６    吸入部
１７    吸込口
１９    吸込みグリル（パネル）
３１    エアフィルタ
３３    清掃装置
８５    回転ブラシ
８７    ダストボックス
９１    ブラシ部
【図１】
2008175485.tif 000003
【図２】
2008175485.tif 000004
【図３】
2008175485.tif 000005
【図４】
2008175485.tif 000006
【図５】
2008175485.tif 000007
【図６】
2008175485.tif 000008
【図７】
2008175485.tif 000009
【図８】
2008175485.tif 000010
【図９】
2008175485.tif 000011
【図１０】
2008175485.tif 000012
【図１１】
2008175485.tif 000013
【図１２】
2008175485.tif 000014
【図１３】
2008175485.tif 000015